(57)【特許請求の範囲】
【請求項１】
脚部と、背部と、前記背部の表面に設けられた張材と、座部と、前記座部の表面に設けられた張材とを備えるオフィスチェアにおいて、
前記背部及び／又は座部の前記張材の縁に沿って設けられる縁材と、前記縁材を挟み込むための開口を有する複数の嵌着部材とを備え、
前記嵌着部材の前記開口の寸法は前記縁材の寸法に対応して定められ、それらの寸法の差は前記嵌着部材が前記縁材を緩みなくしっかりと保持できる程度に設定され、
前記背部及び／又は座部には、その枠部材の縁に沿って溝部が線状に設けられ、
前記張材は、前記嵌着部材が前記溝部に嵌挿され、嵌挿された状態で前記溝部の内面により前記嵌着部材が押さえられることにより前記背部及び／又は座部に取り付けられ、
前記嵌着部材の側面図において前記嵌着部材の開口を構成する部分の一方は他方よりも短く、当該一方の長さは前記嵌着部材の嵌挿方向における前記溝部の長さと比較して小さく、前記嵌着部材が嵌挿された位置で前記縁材が前記溝部に点で取り付けられることを特徴とするオフィスチェア。
【請求項２】
前記縁材には細隙が設けられ、前記細隙に前記張材の縁が嵌挿されて前記縁材に挟持され、
前記嵌着部材の少なくとも一端が曲げられて鉤部が設けられ、
前記鉤部が前記縁材の端に接することにより、前記嵌着部材が前記縁材を挟着することを特徴とする請求項１記載のオフィスチェア。
【請求項３】
前記嵌着部材には、前記溝部の内面に向けて突出する突起部が設けられていることを特徴とする請求項１又は請求項２記載のオフィスチェア。
【請求項４】
オフィスチェアの枠部材に張材を張設する張材の張設方法において、
前記張材の縁に沿って縁材を設けるとともに、前記縁材を挟み込むための開口を有する複数の嵌着部材を、前記開口で前記縁材を挟み込むことにより取り付け、
前記嵌着部材の前記開口の寸法は前記縁材の寸法に対応して定められ、それらの寸法の差は前記嵌着部材が前記縁材を緩みなくしっかりと保持できる程度に設定され、
前記枠部材の縁に沿って線状に溝部が設けられ、
前記嵌着部材を前記溝部に嵌挿し、嵌挿された状態で前記溝部の内面が前記嵌着部材を押さえることにより前記張材を前記枠部材に取り付け、
前記嵌着部材の側面図において前記嵌着部材の開口を構成する部分の一方は他方よりも短く、当該一方の長さは前記嵌着部材の嵌挿方向における前記溝部の長さと比較して小さく、前記嵌着部材が嵌挿された位置で前記縁材が前記溝部に点で取り付けられることを特徴とする張材の張設方法。
【発明の詳細な説明】
【技術分野】
【０００１】
本発明はオフィスチェア（椅子）に関し、特に、その背もたれや座などに設けられるファブリック（張材）の好適な張設構造及び張材の張設方法に関する。
【背景技術】
【０００２】
オフィスチェアに張材を張るための張設構造に関する先行技術として、例えば、下記特許文献１〜特許文献４がある。
【先行技術文献】
【特許文献】
【０００３】
【特許文献１】特開２００３−０４７５３４号公報  椅子の座あるいは背もたれに膜状部材を容易に取り付けるために、椅子の枠体の周囲に係合溝を設け、これに膜状部材の周囲に取り付けた係止部材を引っ掛けるようにした。
【特許文献２】特開２００６−１１６３５２号公報  適度な弾力性と張力を発揮し得る素材を椅子のフレームに固定するために、前記素材の端部に係止プレートを備えると共に前記フレーム側に前記係止プレートを係合させる溝あるいは梁を設ける。前記溝あるいは梁は、前記素材が引っ張られた状態でその端部が前記フレームを覆うように回り込んで前記係止プレートを前記素材の張力により係合力を増す方向に係合させる。前記溝あるいは梁に前記係止プレートを係合させて前記素材の端部を該素材に張力をかけた状態で前記フレームに固定する。
【特許文献３】特開２０１１−０４５５７５号公報  椅子のフレームに可撓性のある張地を張設し、着座者支持面を形成するための構造であって、前記フレームに設けられた張地取付部と、この張地取付部に取り付けられる前の前記張地の縁部とが、着座者支持面と直交する方向からの視認形状において相互に異なるように構成する。所望の位置に適切な張力で張地を張設できる。
【特許文献４】特開２０１３−０９４５８１号公報  椅子の主枠材の表面の一部に、側部補助枠材を、張材の引張方向に移動可能として装着し、側部補助枠材と主枠材との間に設けた内方を向く凹溝に、張材の外周縁部を外側から内側に向かって差し込み、主枠材に設けたボルトとナットにより、側部補助枠材を、張材の引張方向に引き寄せて、張材を主枠材の表面に張設する。
【発明の概要】
【発明が解決しようとする課題】
【０００４】
張材を張設する背もたれや座などの形状が異なると、その最適な張設構造は異なるようになる。従来技術によれば、異なるタイプのチェアごとに張材の最適な固定位置を検討し、それぞれ異なる固定手段を用意しなければならなかった。これでは、製造コストが増加してしまう。
【０００５】
この発明は、さまざまなタイプのチェアに適用することができる張材の好適な張設構造を提供することを目的とする。
【課題を解決するための手段】
【０００６】
この発明は、脚部と、背部と、前記背部の表面に設けられた張材と、座部と、前記座部の表面に設けられた張材とを備えるオフィスチェアにおいて、
前記背部及び／又は座部の前記張材の縁に沿って設けられる縁材と、断面が略コの字型であり、その開口により前記縁材を挟み込む複数の嵌着部材とを備え、
前記背部及び／又は座部には、その枠部材の縁に沿って溝部が設けられ、
前記張材は、前記嵌着部材が前記溝部に嵌挿されることにより前記背部及び／又は座部に取り付けられるものである。
【０００７】
前記縁材には細隙が設けられ、前記細隙に前記張材の縁が嵌挿されて前記縁材に挟持され、
前記嵌着部材の少なくとも一端が曲げられて鉤部が設けられ、
前記鉤部が前記縁材の端に接することにより、前記嵌着部材が前記縁材に挟着される、ようにしてもよい。
【０００８】
前記嵌着部材には、前記溝部の内面に向けて突出する突起部が設けられている、ようにしてもよい。
【０００９】
この発明は、オフィスチェアの枠部材に張材を張設する張材の張設方法において、
前記張材の縁に沿って縁材を設けるとともに、断面が略コの字型の複数の嵌着部材を、その開口で前記縁材を挟み込むことにより取り付け、
前記枠部材の縁に沿って溝部が設けられ、
前記嵌着部材を前記溝部に嵌挿することにより前記張材を前記枠部材に取り付けるものである。
【図面の簡単な説明】
【００１０】
【図１】発明の実施の形態に係るオフィスチェアの三面図である。
【図２】発明の実施の形態に係るオフィスチェアの背の正面図である。
【図３】発明の実施の形態に係るオフィスチェアの背の分解斜視図である。
【図４】図２のＡ−Ａ矢視断面図である。
【図５】発明の実施の形態に係るファブリックのガスケット及びこれを挟み込んだ状態のクリップの斜視図である（クリップの端でファブリック及びガスケットを切断した状態を示す）。
【図６】発明の実施の形態に係るクリップの斜視図である。
【図７】発明の実施の形態に係るクリップの三面図である。
【図８】発明の実施の形態に係るクリップをガスケットに取り付ける手順の説明図である。
【図９】発明の実施の形態に係るクリップがガスケットを挟み込んだ状態の斜視図である。
【図１０】発明の実施の形態に係るクリップをグルーヴに嵌挿する手順の説明図である。
【図１１】発明の実施の形態に係るクリップがグルーヴに嵌挿された状態の斜視図である（クリップの端でファブリック、ガスケット及び樹脂フレームを切断した状態を示す）。
【図１２】図１１の拡大図である。
【図１３】発明の実施の形態に係るクリップのバリエーションの説明図（断面図）である。
【発明を実施するための形態】
【００１１】
以下、図面を参照して、本発明の実施の形態に係るオフィスチェアについて説明する。
【００１２】
図１は、発明の実施の形態に係るオフィスチェアの三面図である。
【００１３】
１は背（背部）、２は座（座部）、４は背１及び座２を支えるガススプリング、５はガススプリング４を支える脚台、６は脚台５の下部に設けられたキャスター、７は座２に設けられたＬ型肘である。
【００１４】
背１及び座２の表面には、それぞれ後述のファブリック（張材）１２が設けられている。
【００１５】
図２は発明の実施の形態に係るオフィスチェアの背１の正面図、図３は発明の実施の形態に係るオフィスチェアの背１の分解斜視図、図４は図２のＡ−Ａ矢視断面図である。
【００１６】
背１は、縦の樹脂フレーム（枠部材）１３及び横の樹脂フレーム（枠部材）１４からなり、正面から見て略四角状に組まれた硬質合成樹脂製のフレームと、樹脂フレーム１３、１４の表面、すなわち前面に張設したファブリック（張材）１２とを備えている。
【００１７】
ファブリック（張材）１２は、後述のように、樹脂フレーム１３、１４の縁に沿って設けられたグルーヴ１１に、ファブリック（張材）１２の縁を挟み込んだ複数のクリップ（嵌着部材）３０が嵌挿されることにより背１に張設される。
【００１８】
なお、図２において、複数のクリップ（嵌着部材）３０が外部から見えるかのように実線で、かつ樹脂フレーム１３、１４から少しはみ出しているかのように表示してあるが、これは説明の便宜上であり（クリップ３０の位置を分かりやすく表示するため）、実際は外部から見えない。クリップ３０は、後述の図４に示すように溝１１の奥にしまい込まれて、表からは見えないようになる。クリップ３０の存在はオフィスチェアの外観に影響を与えることがない。
【００１９】
図２から分かるように、発明の実施の形態においては、ファブリック（張材）１２は、樹脂フレーム１３、１４に数箇所（図２の例では１０箇所）で止められる。グルーヴ１１は樹脂フレーム１３、１４の回りに、その全体にわたって設けられている（いわば線状に設けられている）が、ファブリック（張材）１２は金属製のクリップ３０の位置において、いわば点で取り付けられる。クリップ３０は、グルーヴ（溝部）１１の任意の位置に嵌挿することができるので、ファブリック（張材）１２をどの位置で固定するかの選択の幅は広い。言い換えれば固定点の自由度は高いと言える。
【００２０】
なお、座２にも、背１と同様にファブリック（張材）１２が設けられるが、その取り付け構造は背１の場合と異ならないので、その図及び説明は省略する。
【００２１】
樹脂フレーム１３は、上下方向の中央よりやや下方の部分が側面視において前方に突出するように緩やかにくの字状に屈曲している。樹脂フレーム１４は、樹脂フレーム１３の上端部及び下端部同士をそれぞれ連結している。樹脂フレーム１３、１４の外側を向いている縁には、それぞれグルーヴ１１が設けられている。
【００２２】
ファブリック１２の縁に沿ってガスケット２１が設けられている。クリップ３０の断面は略コの字型であり（図７参照）、そのコの字の開口でガスケット２１を挟み込み、嵌着している。そして、クリップ３０がグルーヴ１１に嵌挿され、ファブリック１２は十分な張力を保ちつつ張設される。
【００２３】
図５は、発明の実施の形態に係るファブリック１２のガスケット２１及びこれを挟み込んだ状態のクリップ３０の斜視図である。この図は縫製済みの状態を示す。クリップ３０は金属（ステンレス）製である。
【００２４】
図６は、発明の実施の形態に係るクリップ３０の斜視図である。図７は、発明の実施の形態に係るクリップ３０の三面図である。
【００２５】
ガスケット２１には細隙（スリット）Ｓが設けられている。細隙Ｓにファブリック１２の縁が嵌挿されてガスケット２１に挟持される。細隙Ｓの幅は、ファブリック１２を挟める程度（ファブリック１２の厚み程度）である。
【００２６】
ガスケット２１は、その断面において左右対称となっていない。すなわち、嵌挿されたファブリック１２に接するガスケット２１の部分の一方（符号２１Ｓ）は、他方（符号２１Ｌ）よりも短い。以下、この短い方、すなわち短辺２１Ｓをファブリック１２の短辺２１Ｓと記すことにする。
【００２７】
クリップ３０の一端は内側に曲げられて鉤部３１となっている。鉤部３１がファブリック１２の短辺２１Ｓの端（図８の符号２１ａ）に接することにより、クリップ３０がガスケット２１の短辺２１Ｓを抑えこみ、その全体でガスケット２１をしっかりと挟み込むようになる。
【００２８】
また、クリップ３０にはその外側に向けて、すなわちグルーヴ１１の内面に向けて突出するツメ（突起部）３２が設けられている。ツメ３２は、グルーヴ１１の内部に向かって鉤状になっていて、クリップ３０をグルーヴ１１の外部へ引っ張る力に対して、ツメ３２が樹脂であるグルーヴ１１の内面に食い込み、抜け止めとなる。
【００２９】
図７において、ｘはクリップ３０の鉤部３１が設けられている側の長さ（内法）である。ｙはクリップ３０の開口幅（内法）である。ｚはクリップ３０の鉤部３１の長さ（内法）である。ｗはクリップ３０の幅（外寸）である。
【００３０】
図８は、発明の実施の形態に係るクリップ３０をガスケット２１に取り付ける手順の説明図である。
【００３１】
ファブリック１２に取り付けられた状態のガスケット２１に、その外側からクリップ３０を嵌め込むようにして取り付ける。なお、ファブリック１２は、ガスケット２１で挟持するだけでなく、ガスケット２１に縫い込むようにしてもよい。縫い込んだ場合において、ガスケット２１で挟持することで、縫い目だけに力がかからないようにすることができる。
【００３２】
クリップ３０のｘ、ｙ、ｚはそれぞれ図８のｘ’、ｙ’、ｚ’に対応して定められる。ｗは図１０のｗ’に対応して定められる。ｘ’≦ｘ、ｙ’≦ｙ、ｚ’≦ｚ、ｗ≦ｗ’である。ｘ’とｘの差は、クリップ３０がガスケット２１の短辺２１Ｓの全部を覆い、かつ、クリップ３０の鉤部３１がガスケット２１の短辺端２１ａを緩みなくしっかりと保持できる程度に小さく設定される。ｙ’とｙ、ｚ’とｚ、ｗとｗ’の差についても同様に小さく設定される。
【００３３】
クリップ３０は、ガスケット２１の任意の位置に取り付けることができるし、その数にも制限はない。したがって、ファブリック１２にシワがよらないように最適な位置にクリップ３０を取り付けることができる。樹脂フレーム１３、１４が曲線を描き、複雑な形状であるときでもクリップ３０の数を増やすことで対応できる。
【００３４】
図９は、発明の実施の形態に係るクリップ３０がガスケット２１を挟み込んだ状態の斜視図である。この図の矢印部分においてクリップ３０の鉤部３１が、ガスケット２１の短辺端２１ａを押さえているので、ガスケット２１がクリップ３０から外れることがない。
【００３５】
図１０は、発明の実施の形態に係るクリップ３０をグルーヴ１１に嵌挿する手順の説明図である。ガスケット２１を挟持したクリップ３０を、樹脂フレーム１３、１４の周囲に設けられたグルーヴ１１の任意の位置に嵌挿する。この嵌挿位置の自由度も高く、ガスケット２１に対するクリップ３０の取付位置の自由度の高さと相まって、オフィスチェアの組み立て作業における生産性を高めている。
【００３６】
図１１は、発明の実施の形態に係るクリップ３０がグルーヴ１１に嵌挿された状態の斜視図である。クリップ３０をグルーヴ１１の奥まで嵌挿することにより、適切な張力を与えつつファブリック１２を取り付けることができる。
【００３７】
図１２は、図１１の拡大図である。
【００３８】
白い矢印で示すように、ツメ３２が返しとして機能し、グルーヴ１１の内面に食い込んでクリップ３０の抜け止めとなる。
【００３９】
グルーヴ１１の内面がクリップ３０をその内側に押すので、灰色の矢印で示すように、クリップ３０の鉤部３１が、ガスケット２１の短辺端２１ａをより強く押さえつけるようになるので、ガスケット２１の抜け止めとなる。
【００４０】
以上のように、発明の実施の形態においては、クリップ３０は、グルーヴ１１の任意の位置に嵌挿することができるので、ファブリック（張材）１２をどの位置で固定するかの選択の幅は広い。よって、ファブリック（張材）１２の固定位置の自由度は高くなる。このことは作業の容易化をもたらし、生産性の向上につながる。
【００４１】
特に、外れやすい箇所にクリップ３０を設けることで、ファブリック（張材）１２を確実に取り付けることができる。外れやすい箇所はチェアのタイプ、例えば背１及び／又は座２の形状、ファブリック（張材）１２の材質などにより異なるが、発明の実施の形態に係るオフィスチェアのファブリック（張材）１２の固定位置の自由度が高いので、さまざまなタイプのチェアに適用することができる。従来においては、異なるタイプのチェアについてファブリック（張材）１２の最適な固定位置を検討し、それぞれに固定手段を用意しなければならなかったが、本発明の実施の形態によれば固定手段を共通化できる。これにより製造コストを削減することができる。
【００４２】
ガスケット２１及びクリップ３０の断面形状のバリエーションについて、図１３を参照して説明を加える。これらはいずれも本発明の実施の形態に含まれる。なお、図１３においては、ツメ３２の表示は省略している。
【００４３】
図１３（ａ）は、図６〜図１２に示したものの断面図である。
【００４４】
図１３（ｂ）は、図１３（ａ）の変形例であり、クリップ３０の他端も内側に曲げて鉤部３１’を設けるようにしている。図１３（ｂ）によれば、短辺２１Ｓのみならず長辺２１Ｌにおいてもクリップ３０がガスケット２１を抑えこむので、より確実にガスケット２１を保持することができる。
【００４５】
図１３（ｃ）は、図１３（ｂ）の変形例であり、短辺２１Ｓと長辺２１Ｌの長さを同じにしたものである。ガスケット２１の腕に長短がないときにはクリップ３０も長短がない形状になり、断面視においてガスケット２１をぐるっと包み込むようにして挟持するようになる。
【００４６】
図１３（ｄ）は、図１３（ｃ）の変形例であり、鉤部３１’を取り除いたものである。図１３（ｄ）のように、一方の辺のみに鉤部３１を設けるようにしてもよい。
【００４７】
なお、クリップ３０内面とガスケット２１の表面の摩擦により、クリップ３０がガスケット２１をしっかりと保持できるのであれば、図１３（ｂ）（ｃ）の変形例として、鉤部３１及び３１’の両方を省略したものを採用してもよい（図示省略）。
【００４８】
クリップ３０がガスケット２１をしっかりと保持できること、及び、クリップ３０がグルーヴ１１から容易に抜けないこと、これらの条件を満たすのであれば、クリップ３０及びガスケット２１の形状は問わない。
【００４９】
本発明は、以上の実施の形態に限定されることなく、特許請求の範囲に記載された発明の範囲内で、種々の変更が可能であり、それらも本発明の範囲内に包含されるものであることは言うまでもない。
【符号の説明】
【００５０】
１    背（背部）
２    座（座部）
４    ガススプリング
５    脚台
６    キャスター
７    Ｌ型肘
１１    グルーヴ（溝部）
１２    ファブリック（張材）
１３    縦の樹脂フレーム（枠部材）
１４    横の樹脂フレーム（枠部材）
２１    ガスケット（縁材）
２１ａ  ガスケットの短辺端
２１Ｌ  ガスケットの長辺
２１Ｓ  ガスケットの短辺
３０    クリップ（嵌着部材）
３１    クリップの鉤部
３２    クリップのツメ（突起部）
Ｓ    ガスケットの細隙（スリット）
【図１】
0006523669.tif 000002
【図２】
0006523669.tif 000003
【図３】
0006523669.tif 000004
【図４】
0006523669.tif 000005
【図５】
0006523669.tif 000006
【図６】
0006523669.tif 000007
【図７】
0006523669.tif 000008
【図８】
0006523669.tif 000009
【図９】
0006523669.tif 000010
【図１０】
0006523669.tif 000011
【図１１】
0006523669.tif 000012
【図１２】
0006523669.tif 000013
【図１３】
0006523669.tif 000014